(57)【要約】【課題】本発明は従来の放送映像に余分な情報を付加することなく、大量の録画映像からダイジェストを作成することを目的とする。【解決手段】放送映像を録画して蓄積するホームサーバにおいて、放送番組をトピック単位に分割したシーンをダイジェストに含めるか否かを決定するために、放送番組に対するユーザの嗜好を反映する番組優先度と、インターネットのニュースサイトから取得する、ニューストピックに対する世間一般の注目度を反映するキーワード優先度と、番組制作者の意図を反映する番組内優先度とを用いてシーン優先度を決定する。決定されたシーン優先度の高いシーンを集めてダイジェストを作成する。キーワード優先度はインターネットのニュースサイトなどから取得し、番組内優先度はシーンの番組内での放送順やシーンの長さを基に決定するため、映像以外の余分な情報を必要としない。【選択図】  図１
2005064561.tif 000002
【特許請求の範囲】
【請求項１】
記憶装置に格納された映像情報の再生順序を決定する再生順序決定方法であって、
キーワードと当該キーワードの重要度を表すキーワード重要度とを対応付けて前記記憶装置に格納し、
前記映像情報と当該映像情報に含まれるキーワードとを対応付けて前記記憶装置に格納し、
前記映像情報に対応するキーワードに対応付けて格納されたキーワード重要度に基づいて前記映像情報の再生順序に関する優先度を決定し、
前記映像情報の再生順序を前記決定された優先度に基づいて決定することを特徴とする再生順序決定方法。
【請求項２】
記憶装置に格納された映像情報の再生順序決定方法であって、
前記映像情報と当該映像情報に含まれるキーワードとを対応付けて前記記憶装置に格納し、
前記格納したキーワードに基づき再生すべき映像情報を選択し、
決定された映像情報と対応付けて格納されたキーワードの重要度に基づき、当該映像情報の再生順序に関する優先度を決定し、
決定した優先度と前記映像情報とを対応付けて前記記憶装置に格納し、
前記映像情報を再生する場合に、前記映像情報および当該映像情報に対応付けて格納された優先度とを前記記憶装置から読み出し、
読み出した映像情報の再生順序を前記優先度に基づいて決定することを特徴とする再生順序決定方法。
【請求項３】
請求項１記載の再生順序決定方法であって、
前記映像情報は、当該映像情報を含む元映像情報における特徴量の変化に基づいて当該元映像情報の部分から作成したものであることを特徴とする再生順序決定方法。
【請求項４】
請求項１または請求項２記載の再生順序決定方法であって、
前記キーワードをネットワーク接続部を介して受信し、
受信したキーワードの受信回数に基づいて、前記キーワード重要度を決定することを特徴とする再生順序決定方法。
【請求項５】
請求項４記載の再生順序決定方法であって、
前記映像情報は、映像配信業者により提供される番組に関する情報であり、
当該番組を識別する番組識別情報と前記映像情報とを対応付けて前記記憶装置に格納し、
ユーザから前記番組の重要度の入力を受付け、
前記番組識別情報と当該入力された番組重要度とを対応付けて前記記憶装置に格納し、
前記格納された映像情報に対応する番組重要度と前記キーワード重要度とに基づいて前記映像情報の優先度を決定することを特徴とする再生順序決定方法。
【請求項６】
請求項１記載の再生順序決定方法であって、
前記映像情報は、映像配信業者により提供される番組に関する情報であり、
ユーザから前記番組の重要度の入力を受付け、
前記映像情報と当該映像情報に含まれるキーワードの重要度を表すキーワード重要度とを対応付けて前記記憶装置に格納し、
前記映像情報に含まれるキーワード重要度と前記映像情報に対応する番組の重要度とに基づいて前記映像情報の優先度を決定し、
ユーザからキーワードの指定を受付けた場合、前記記憶装置に格納された映像情報のうち、前記格納したキーワードに関する映像情報を前記再生順序に基づき再生し、
ユーザから番組の指定を受付けた場合、前記記憶装置に格納された映像情報のうち、当該指定された番組に関する映像情報を前記再生順序に基づき再生することを特徴とする再生順序決定方法。
【請求項７】
請求項３記載の再生順序決定方法であって、
前記映像情報と当該映像情報の再生時間に関する情報とを対応付けて前記記憶装置に格納し、
前記元映像情報の再生時間に対する前記格納された映像情報の再生時間の割合に基づいて前記映像情報の番組内重要度を決定し、
決定された番組内重要度と前記キーワード重要度とに基づいて前記映像情報の優先度を決定することを特徴とする再生順序決定方法。
【請求項８】
映像情報の再生順序を決定する再生順序決定システムであって、
前記映像情報を含む元映像情報における特徴量の変化に基づいて当該元映像情報の部分から前記映像情報を作成する手段と、
作成された映像情報を格納する記憶手段と、
複数のキーワードを受信するネットワーク受信部と、
受信したキーワードの受信頻度に基づきキーワード重要度を算出する手段と、
算出されたキーワード重要度のうち、前記映像情報に含まれるキーワードに対応するキーワード重要度に基づき前記映像情報の再生順序を決定する手段とを備えることを特徴とする再生順序決定システム。
【発明の詳細な説明】
【０００１】
【発明の属する技術分野】
本発明は放送映像を記録可能なシステムにおいて、重要度に基づいて再生すべき映像の選択及び再生順序の決定方法に関する。
【０００２】
【従来の技術】
近年の放送のデジタル化とホームサーバの出現によって、これまでのような放送された映像をリアルタイムで視聴するというスタイルから、放送された映像をホームサーバに蓄積して好きな時に好きな番組を視聴するというスタイルが成立しつつある。ＴＶ放送の多チャンネル化や記録装置の容量増加および低価格化により、蓄積される映像量は増加すると考えられる。蓄積される映像量が増加すると、それらの映像全てを視聴する時間を確保することは難しい。そのため、ユーザの望む映像を簡単に取り出すための方法が必要になる。
【０００３】
これを実現する方法として、ユーザの望む映像を蓄積された映像から検索する方法や、ユーザの嗜好に合う映像のみを蓄積する方法、さらに、蓄積された映像のダイジェストを作成することによって重要な部分のみを視聴する方法などが提案されている。例えば特許文献１では、映像中で発生した事象を定義したインデクスを映像中に含み、予め事象毎に定義された数値情報を参照することにより、映像の内容を数値情報の変化によって表すことができる。この数値情報の変化を用いることにより、自動でダイジェスト映像を作成することを可能としている。
【０００４】
【特許文献１】
特開２０００‐２６１７５４号公報（００１５‐００１６段落）
【０００５】
【発明が解決しようとする課題】
かかる従来の技術に関しては次のような問題がある。
【０００６】
映像中で発生した事象を定義したインデクスを映像中に含むことを前提としているが、従来の放送映像には、前記インデクスのような情報は含まれていないため、そのまま適用することができない。また、従来の放送映像に限らず、新たに作成した放送映像についても言えることであるが、映像のインデクスは映像の内容や特徴を的確に表現する必要があるため、映像を視聴した上でインデクスを作成することとなり、インデクスの作成は大きな労力を必要とする。ダイジェストの作成に労力がかからないとしても、その前段階で大きな労力を要することとなる。
【０００７】
このように、従来の方法で放送映像のダイジェストを作成しようとすると、インデクスの作成という多大な労力を要するという問題があり、インデクスの作成という多大な労力を必要とせずに、ダイジェストを作成する方法および作成したダイジェスト映像を再生するシステムが望まれている。
【０００８】
本発明の目的は映像の重要度に基づいて再生すべき映像を選択し、再生するシステムを提供することにある。
【０００９】
本発明の他の目的は、映像の重要度に基づいて当該映像の再生順序を決定するシステムを提供することにある。
【００１０】
【課題を解決するための手段】
記憶装置に格納された映像情報の再生順序を決定する再生順序決定方法であって、前記映像情報を再生順序に関する優先度と対応付けて前記記憶装置に格納し、前記映像情報の再生順序を前記優先度に基づいて決定することを特徴とする再生順序決定方法。
【００１１】
【発明の実施の形態】
本実施の形態では、録画した映像をシーン単位に分割し、分割したシーン毎に優先度（シーン優先度）を設定する。ユーザが入力するダイジェスト作成条件に合うシーンの中から、シーン優先度の高いシーンを集めることによってダイジェストを作成する。
【００１２】
本実施の形態において、シーンとは、録画した番組などの映像情報のうち一部分または全部であって特定の意味内容を持ったまとまりなどにより区切られたものをいい、例えば、時間経過に対する、映像情報の所定の特徴量の変化により、シーンの区切りを検出可能である。ニュース番組内においての各トピックを扱う場面をここでいうシーンとすることができる。
【００１３】
本実施の形態において、ダイジェストの作成とは、記憶装置に格納された映像情報について、所定の方法で各映像情報の再生順序に関わる優先度を算出し、算出された優先度に基づき再生することが可能なように映像情報を提供することをいう。映像情報とは、ある番組に関する映像の情報をシーン単位に分割して作成した情報として説明するが、本実施の形態における再生順序決定方法は、シーン単位に分割しない場合であっても、または予めある番組に関する映像の情報をシーン単位に分割された形式で受信して利用する場合であっても、適用可能である。
【００１４】
例えば一定期間内に録画した複数の番組の映像について、シーン単位より大きな単位（番組単位など）で優先度を設定し再生順序を決定して映像情報をユーザに提供することも、一定期間に蓄積された映像情報の上記ダイジェストの作成に含める。この場合シーン優先度は、上記シーンより大きな単位で設定された優先度を意味する。
【００１５】
シーン優先度は、以下に示す３つの優先度を基にして決定する。一つ目は、映像内に出現するキーワードを含むと思われる情報源、例えばインターネット上のニュースサイトからニューストピックを代表するキーワードを取得し、取得したキーワードの出現頻度を基にして決定するキーワード優先度である。二つ目は、録画する放送番組ごとにユーザが設定する番組優先度である。三つ目は、録画した番組内での前記シーンの長さや放送順などの、番組内の構成の特徴を基に決定する、シーンの番組内優先度である。
【００１６】
以下では、ニュース映像のダイジェストを作成することを例にとり、本発明の実施の形態を詳細に説明する。
【００１７】
図１は、本発明をホームサーバに適用した場合のシステムの構成を示すブロック図である。各ブロックは機能的に分けて記載しており、各ブロックの分割または統合はあり得る。本実施の形態ではホームサーバを例として挙げるが、ホームサーバに限る必要はなく、ネットワークと接続する受信装置および記憶装置を備えた計算機、例えばパーソナルコンピュータや、セットトップボックスなどと呼ばれるものなどでも良い。
【００１８】
ホームサーバ１００は、映像送出局１１０から送出される放送番組の映像１１１を、映像受信部１０１により受信することができ、録画制御部１０２は、映像受信部１０１より受信される受信映像を記憶装置１０５に記録する。映像受信部１０１は、後述するネットワーク接続部１０３を兼ねても良い。
【００１９】
映像送出局１１０は、ホームサーバ１００に映像を提供するシステムであり、無線ネットワークを介してホームサーバ１００に映像を提供するシステムであっても、インターネットなどその他の情報通信ネットワークを介してホームサーバ１００に映像を配信するサーバなどを備えたシステムであってもよい。
【００２０】
ユーザはユーザ入力部１０６を介して、ユーザ自身の番組に対する嗜好を反映した、ユーザに対する番組の重要度を表す番組優先度という数値として設定することができる。ユーザが好きな番組の番組優先度を高くすることで、その番組内のシーンがダイジェストに含まれる確率を高めることができる。番組優先度は番組名や放送日時など番組を識別する番組識別情報と対応付けて、記憶装置１０５に記録する。
【００２１】
番組識別情報は、シリーズ化された番組の映像に共通の識別情報であってもよく、この場合ユーザの好きなシリーズ化された番組の番組優先度をまとめて高くすることができる。この場合、個々の映像を識別するには、番組識別情報に加え、シリーズ化された番組に含まれる個々の番組を識別可能な識別情報として、例えば日時情報なども用いる。
【００２２】
キーワード収集部１０４はネットワーク接続部１０３を介してインターネット１２０に接続し、インターネット上のニュースサイト１２１を閲覧し、ニューストピックを特徴付けるキーワードを取得する。その後、取得したキーワードの出現頻度からキーワードの重要度を表すキーワード優先度を作成し、キーワードとキーワード優先度を対にして記憶装置１０５に記録する。頻出するキーワードのキーワード優先度を高く設定することにより、ニュースサイトで話題になっているキーワードを含むシーンがダイジェストに含まれることを期待することができる。
【００２３】
シーン検出部１０７は、収集したキーワードを手がかりとして、録画映像からキーワードを含むシーンの検出を行なう。映像をシーンに分割する方法は、従来同様、映像の特徴量の変化を利用してシーン分割点を特定するなどの方法を用いることができる。キーワードを含むシーンを検出するには、シーン内の字幕を検出してキーワードと照合したり、音声をキーワードと照合したりすることによって行なうことができる。さらに、番組制作者が重要であると捉えているニュースほど、番組内での放送順が早く、シーンが長いと考えられるため、シーン検出部１０７では、検出したシーンの番組内での放送順とシーンの長さを利用して、シーンの番組内における重要度を表す、シーンの番組内優先度を決定する。放送順が早く、長いシーンほど、優先度を高くすることにより、ダイジェストに含まれることを期待することができる。シーン検出部は、検出したシーンの開始・終了時間、シーンに含まれるキーワード、シーン識別子、および、シーンの番組内優先度をシーン情報として記憶装置１０５に記録する。
【００２４】
シーン優先度決定部１０８は、ユーザ入力部１０６にて入力された番組優先度、キーワード収集部１０４にて決定されたキーワード優先度、および、シーン検出部１０７により決定されたシーンの番組内優先度を基に、シーン優先度を決定する。基となる３つの優先度が高いほどシーン優先度も高くなるように決定する。
【００２５】
ダイジェスト作成部１０９は、シーン検出部１０７により決定されたシーン情報の中から、ユーザ入力部１０６を介して入力されたダイジェスト作成条件に適合するシーンを探し、シーン優先度の高いシーンから順にダイジェストに含める。ここで作成されたダイジェスト映像を映像出力装置１４０に送出することにより、ユーザ１３０はダイジェストを視聴することができる。
【００２６】
本発明の処理の詳細な説明に入る前に、本実施の形態において用いられるデータとその入力方法について説明する。
【００２７】
図２は、記録装置１０５に作成される、本実施の形態で利用する各種データのデータテーブル１５０の図である。映像データリスト２１０は、録画した放送映像である映像データ２１１の集合である。映像データ２１１には番組タイトルや放送日時などの情報を加えることができる。キーワード収集時の巡回先ＵＲＬリスト２２０は、キーワード収集時に参照するニュースサイトのＵＲＬである巡回先ＵＲＬ２２１の集合である。番組優先度リスト２３０は、放送番組のタイトルとその番組に対するユーザの嗜好情報である番組優先度２３１を対にしたデータの集合である。キーワード優先度リスト２４０は、キーワード収集部１０４によって収集されるキーワードと、その優先度を対にしたキーワード優先度２４１の集合である（以後、キーワード優先度という場合は、キーワードと優先度の組を指すものとする）。シーン情報リスト２５０は、録画映像を一意に識別する映像識別子、シーン検出部１０７によって決定されるシーン開始点・終了点、シーンに対応付けられるキーワードのキーワード識別子、シーンの番組内優先度２５２および、シーン優先度決定部１０８によって決定されるシーン優先度２５３からなるシーン情報２５１の集合である。
【００２８】
図３は録画する番組に対する番組優先度設定の入力画面の図である。予約番組情報３１０として、録画開始時間３１１・終了時間３１２、放送されるチャンネル３１３が従来の録画設定方法によって入力されていることとする。番組のタイトル３１４はＥＰＧ（Ｅｌｅｃｔｒｏｎｉｃ  Ｐｒｏｇｒａｍ  Ｇｕｉｄｅ）を利用すれば自動で入力できるが、ユーザ自身で入力してもかまわない。以上の情報から、ユーザの好きなニュース番組の優先度が高くなるように番組優先度３１５を入力する。ここで入力された情報は、番組優先度リスト２３０としてデータテーブル１５０に記憶される。番組優先度２３１を入力したことのある番組の番組優先度３１５は、番組優先度２３１の数値を用いる。番組優先度２３１を変更したい場合には、新たに設定したい優先度を番組優先度３１５に入力する。
【００２９】
図４はキーワード収集処理７４０において、キーワードを収集するために参照するニュースサイトを指定するための入力画面の図である。ユーザは、参照したいニュースサイトのＵＲＬを４１０に入力し追加ボタンを押すことにより、巡回先ニュースサイト一覧４２０にＵＲＬを登録する。巡回先ニュースサイト一覧４２０は、キーワード取得時巡回先ＵＲＬリスト２２０として、データテーブル１５０に記録される。
【００３０】
図５はダイジェスト作成条件の入力画面の図である。ユーザはダイジェスト作成条件として、特定キーワードを含むシーンからシーン優先度の高いシーンを集めてダイジェストとするキーワード指定５１０、特定の番組のシーン優先度の高いシーンを集めてダイジェストとする番組指定５２０、および過去一定期間内のニュースの中からシーン優先度の高いシーンを集めてダイジェストとする期間指定５３０などが考えられる。これら３つの条件を組み合わせて、今日のニュースの中から特定キーワードを含むシーンをダイジェストとするという条件を設定してもよい。このような条件を設定した上で、さらに、ダイジェストの長さ５４０を設定し、ダイジェストが指定した時間以内や指定時間程度に収まるようにする。
【００３１】
作成したダイジェストの出力方法についても説明しておく。
【００３２】
図６は作成したダイジェストを再生するための出力画面の図である。図５で入力したダイジェスト作成条件６１０、ダイジェストの再生領域６２０、ダイジェストに含まれるシーンの情報６３０を表示する。ここではダイジェスト作成条件６１０として、「一週間以内のニュース」を指定しているため、一週間以内に録画されたニュース映像の中から、シーン優先度２５３の高いシーンがダイジェストとして選択されている。ダイジェストに含まれるシーン情報６３０としては、シーンに含まれるキーワード、シーンを含む番組のタイトル、番組の放送日、シーンの開始・終了時間などが考えられる。
【００３３】
以下では、本発明の詳細について説明する。
【００３４】
図７は本発明の実施に必要な処理のフローチャートである。本システムではまず、映像送出局１１０から送られる映像１１１を、記憶装置１０５に映像データ２１１として記録する（ステップ７１０）。次に、キーワードを収集するために参照するニュースサイトのＵＲＬである巡回先ＵＲＬリスト２２０を、データテーブル１５０から読込む  （ステップ７２０）。ステップ７２０は任意のタイミングで何度実行してもかまわない。以降の説明では、映像データリスト２１０と巡回先ＵＲＬリスト２２０は、作成済みであるとして説明を行なう。
【００３５】
本発明では、番組優先度２３１、キーワード優先度２４１、シーンの番組内優先度２５２という３つの優先度を用いてシーン優先度２５３を求め、ダイジェスト作成の判断基準とすることを特徴としているため、これらの生成方法について詳しく説明していく。
【００３６】
図７においては、ステップ７２０で巡回先ＵＲＬリスト２２０の作成後に番組優先度２３１を設定している（ステップ７３０）。しかし、ステップ７３０の番組優先度の設定は、ステップ７６０のシーン優先度決定より前に行なえばよいため、図７とは異なるタイミングで実施してもよい。ステップ７３０では、図３に示すように、録画設定されている番組一つ一つに対して番組優先度２３１を入力する。番組優先度２３１は、ダイジェストにユーザの嗜好を反映するための情報となる。
【００３７】
次に、処理実行時点でのインターネットのニュースサイトで話題になっているトピックのキーワードを収集し、収集されたキーワードそれぞれに対してキーワード優先度２４１を決定する（ステップ７４０）。キーワード優先度２４１は、ダイジェストに世間一般の注目度を反映するための情報となる。詳しくは図８を利用して後述する。
【００３８】
次に、収集したキーワードのリスト２４０を入力として、シーン検出処理を行なう（ステップ７５０）。ここでは録画した番組映像に対してシーン分割処理を行い、シーンの開始時間および終了時間を決定し、シーン内に前記キーワードが含まれていないか確認する。キーワードが含まれていれば、シーンとキーワードを対応付ける。そして、それぞれのシーンに対して番組内での放送順やシーンの長さを基にシーンの番組内優先度２５３を決定する。シーンの番組内優先度は、ダイジェストに番組制作者の意図を反映するための情報となる。詳しくは図９を利用して後述する。
【００３９】
次に、ステップ７３０で決定した番組優先度２３１、ステップ７４０で決定したキーワード優先度２４１、ステップ７５０で決定したシーンの番組内優先度２５２という３つの情報から、ダイジェスト作成時の直接の基準となるシーン優先度２５３を決定する（ステップ７６０）。詳しくは図１０を利用して後述する。
【００４０】
最後に、シーン優先度２５３とダイジェスト作成条件とを入力としてダイジェストの作成を行ない、ダイジェストを映像出力装置１４０に出力し、ユーザ１３０の視聴を可能とする（ステップ７７０）。詳しくは図１１を利用して後述する。
【００４１】
図８は図７におけるキーワード収集処理７４０の詳細である。ここではまず、巡回先ＵＲＬリスト２２０を読み込み、キーワードを取得するためのニュースサイトを特定する（ステップ８１０）。次に、巡回先ＵＲＬリスト２２０に登録されているニュースサイト１２１を順次閲覧し、ニューストピックを代表するキーワードを収集する（ステップ８２０）。キーワード収集後に、同一キーワードの出現回数をカウントし、出現回数の多いキーワードの優先度が高くなるようにキーワード優先度２４１を決定する（ステップ８３０）。具体的な数値としてはキーワードの総数に対する特定キーワードの出現回数の割合が考えられる。収集したキーワード全てに対してキーワード優先度２４１を決定し、キーワード優先度リスト２４０を作成する。シーン検出処理７５０やシーン優先度決定処理７６０で用いるために、キーワードとキーワード優先度を対応付けて記憶装置１５０に記録しておく（ステップ５４０）。キーワード優先度は、世間一般で注目されているニュースのキーワードは、どのニュースサイトでも大きく取り上げられることを利用して、キーワードを含むシーンをダイジェストに含めるための情報である。
【００４２】
図９は図７におけるシーン検出処理７５０の詳細である。ここではまず、録画した映像データ２１１と収集したキーワード優先度リスト２４０を読み込む（ステップ９１０）。ただし、ここではキーワード優先度のうちキーワードのみが必要であるため、キーワードに対する優先度は読込まなくても良い。次に画像や音声の特徴量の変化を利用するという従来のシーン検出方法を用いて、映像のシーン分割を行なう（ステップ９２０）。ステップ９２０では、分割されたシーンの中に前記キーワードが含まれていないかを確認することにより、シーン分割の負荷を軽減する。シーンにキーワードが含まれていればキーワードをシーンに対応付ける。ここでは映像データ２１１を一意に識別する映像番号、シーンの開始および終了時刻、シーンに含まれるキーワードといったシーン情報２５１を決定する。ステップ９２０では、いくつかのシーンに同一キーワードが対応付けられている場合に、それらを一つのトピックを扱うシーンとして纏めておくと、より有効なシーン情報が得られる。次にステップ９２０で得られたシーンについて、番組内での放送順やシーンの長さを基にして番組内優先度２５２を決定する（ステップ９３０）。例えば、番組全体の長さに対するシーンの長さの割合を求めれば、番組制作者が伝えたいニュースほどその割合が大きくなると思われるため、その値を番組内優先度２５２とする。放送する順番についても考慮すれば、よりよい番組内優先度２５２となる。最後に、シーン情報２５１としてシーン番号、シーンの開始および終了時間、シーンに含まれるキーワードのキーワード識別子、シーンの番組内優先度２５２を、記憶装置１５０に記録する（ステップ９４０）。シーン情報２５１は、複数のシーンなど映像情報をまとめてシーン情報リスト２５０として記憶装置１０５のデータテーブル１５０に格納される。シーンの番組内優先度２５２は、番組制作者が伝えたいと思われるニュースをダイジェストに含めるための情報である。
【００４３】
図１０は図７におけるシーン優先度決定処理７６０の詳細である。ここではまず、番組優先度２３０、キーワード優先度２４０、シーンの番組内優先度２５２に対する重みを設定する（ステップ１０１０）。それぞれの優先度に対する重みをＡ，Ｂ，Ｃとする。重みはユーザが入力するものとし、予め入力してあるものとする。次に、シーン情報リスト２５０、番組優先度２３０（Ｘ）、およびキーワード優先度２４０（Ｙ）を読み込む（ステップ１０２０、１０３０）。読み込んだ全てのシーン情報リスト２５０内のシーン情報２５１に対して、シーン優先度２５３を決定する。シーン優先度２５３を決定するために、まず、シーン情報２５１から番組内優先度２５２（Ｚ）を取り出し（ステップ１０４０）、３つの優先度Ｘ，Ｙ，Ｚと優先度に対する重みＡ，Ｂ，Ｃの関数によって、シーン優先度を決定する（ステップ１０５０）。関数の簡単な例としては、ＡＸ＋ＢＹ＋ＣＺが考えられる。最後に、決定されたシーン優先度をシーン情報の一部として記憶装置１５０に記録する（ステップ１０６０）。
【００４４】
前述のように、３つの優先度Ｘ，Ｙ，Ｚはそれぞれユーザ自身、世間一般、番組制作者の意思を含んだ情報である。それらに重みを付けることによって、誰の意思を優先してシーン優先度２５３を決定するかを選択することができる。誰かの意思を優先する必要がない場合は、ステップ１０１０は省略することができる。
【００４５】
図１１は図７におけるダイジェスト作成処理７７０の詳細である。ここではまず、図５のような入力画面を通してユーザが入力するダイジェスト作成条件を読み込む（ステップ１１１０）。ダイジェスト作成条件には、特定のキーワードを含むシーン５１０、特定の番組のシーン５２０、特定の期間内に録画されたシーン５３０といった条件や、ダイジェストの時間長さ５４０といった条件が含まれる。続いて、シーン情報リスト２５０からシーン優先度２５３の決定しているシーン情報リスト２５０を読み込む（ステップ１１２０）。次に、読み込んだシーン情報リストからダイジェスト作成条件に適合するシーンを検索し、ダイジェストの候補となるシーンのリストを作成する（ステップ１１３０）。得られたダイジェスト候補は、シーン優先度２５３の高いシーンから順にダイジェストに加えていく（ステップ１１４０）。ここでは、ダイジェストが指定時間を超えるまでシーンを追加していく方法や、指定時間を超えないようにシーンを追加していく方法や、指定時間を超えた場合には指定時間内におさまるようにシーンを短縮する方法など、いくつかの方法が考えられる。作成されたダイジェストは、ＴＶなどの映像出力装置１４０に出力される（ステップ１１５０）。出力画面は図６のような画面が考えられる。また、映像の出力パターンとして、ステップ１１３０で作成されたダイジェスト候補を、シーン優先度２５３の順に一覧表示し、ユーザがシーンを選択することによって、シーンごとに映像を再生する方法なども考えられる。
【００４６】
以上述べたように、本実施の形態によれば、ニュースに対するユーザ自身の嗜好情報を反映した番組優先度、世間一般の注目度を反映したキーワード優先度、ニュース番組製作者の意図を反映した番組内優先度を利用してダイジェストを作成することにより、ユーザの好むニュースを集めたダイジェストや、世間で注目されているニュースを集めたダイジェストなど、さまざまな条件でのダイジェストが作成できる。
【００４７】
また、本実施の形態によれば、ユーザは番組の優先度とキーワード収集時巡回先ＵＲＬリストを一度だけ入力し、ダイジェスト作成条件をダイジェスト作成の度に設定するだけで済み、労力をかけずにダイジェストが作成できる。ＴＶ局や番組の製作会社等でも、従来は必要の無かった作業である映像中で発生した事象を定義したインデクス作成というような余分な作業を必要としない。
【００４８】
さらに、通常は映像からシーンを検出する際に、画像認識や音声認識の技術を用いて、その特徴の変化点を求めることにより、シーンの区切りを検出するが、本実施の形態ではインターネットから取得したキーワードを用いて画像（字幕）認識や音声認識の際の鍵とすることにより、認識処理の負荷を軽減することもできる。
【００４９】
【発明の効果】
本発明によれば、映像の重要度に基づいて再生すべき映像を選択して再生可能となる。また映像の重要度に基づいて当該映像の再生順序を決定するシステムを提供することが可能となる。
【図面の簡単な説明】
【図１】本発明による複数映像のダイジェスト作成システムのブロック図である。
【図２】本発明における記録装置内のデータテーブルである。
【図３】録画する番組の番組優先度入力画面のイメージである。
【図４】巡回先ＵＲＬリストの入力画面のイメージである。
【図５】ダイジェスト作成条件入力画面のイメージである。
【図６】ダイジェストおよびダイジェスト情報の出力画面のイメージである。
【図７】ダイジェスト作成システムの全体処理のフローチャートである。
【図８】図７におけるキーワード収集部のフローチャートである。
【図９】図７におけるシーン検出部のフローチャートである。
【図１０】図７におけるシーン優先度決定部のフローチャートである。
【図１１】図７におけるダイジェスト作成部のフローチャートである。
【符号の説明】
２１０：  映像データリスト
２１１：  映像データ
２２０：  巡回先ＵＲＬリスト
２２１：  巡回先ＵＲＬ
２３０：  番組優先度リスト
２３１：  番組優先度
２４０：  キーワード優先度リスト
２４１：  キーワード優先度
２５０：  シーン情報リスト
２５１：  シーン情報
２５２：  シーンの番組内優先度
２５３：  シーン優先度
７３０：  番組優先度設定処理
７４０：  キーワード収集処理
７５０：  シーン検出処理
７６０：  シーン優先度決定処理
７７０：  ダイジェスト作成処理
【図１】
2005064561.tif 000003
【図２】
2005064561.tif 000004
【図３】
2005064561.tif 000005
【図４】
2005064561.tif 000006
【図５】
2005064561.tif 000007
【図６】
2005064561.tif 000008
【図７】
2005064561.tif 000009
【図８】
2005064561.tif 000010
【図９】
2005064561.tif 000011
【図１０】
2005064561.tif 000012
【図１１】
2005064561.tif 000013